【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
コンタクトガラスの上もしくは下に接触したブック原稿を画像読取手段により読み取ったスキャン画像を補正する画像補正装置において、前記ブック原稿の前記スキャン画像に含まれる線形状部分を用い、前記スキャン画像の「ハの字」歪み角度を検出する「ハの字」歪み角度検出手段と、この「ハの字」歪み角度検出手段により検出された前記「ハの字」歪み角度に基づいて前記スキャン画像の「ハの字」歪みを補正した後に前記スキャン画像の副走査方向の形状歪みを補正する「ハの字」歪み補正手段と、を備えることを特徴とする画像補正装置。
【請求項２】
前記「ハの字」歪み角度検出手段は、前記線形状部分の直線部を前記スキャン画像の左右ページからそれぞれ検出し、前記直線部と湾曲部との境目を検出して歪み領域を推定する歪み領域推定手段と、前記スキャン画像の左右各ページの前記直線部と画像読み取りの副走査方向との成す角度をそれぞれ算出する「ハの字」歪み角度算出手段と、を備えることを特徴とする請求項１記載の画像補正装置。
【請求項３】
前記「ハの字」歪み補正手段は、前記ブック原稿の３次元形状を検出する３次元形状検出手段と、この３次元形状検出手段により検出された前記ブック原稿の３次元形状に基づき前記スキャン画像の主走査方向の伸長処理を行う主走査方向歪み補正手段と、この主走査方向歪み補正手段により主走査方向の伸長処理を施された前記スキャン画像の左右ページを分割し、所定位置を中心として前記「ハの字」歪み角度検出手段により検出された前記各「ハの字」歪み角度だけそれぞれ回転させる画像回転手段と、この画像回転手段により回転された画像の３次元形状に基づき、副走査方向に画像を伸長する副走査方向歪み補正手段と、を備えることを特徴とする請求項１または２記載の画像補正装置。
【請求項４】
前記３次元形状検出手段は、前記スキャン画像の左右各ページの前記直線部を綴じ部境界線まで延長した直線から前記線形状部分の前記湾曲部に至る距離に基づき、前記スキャン画像の前記コンタクトガラスからの浮き上がり形状値を検出する浮き上がり形状検出手段と、この浮き上がり形状検出手段により検出された前記スキャン画像の前記コンタクトガラスからの浮き上がり形状値を前記綴じ部境界線に平行な直線上の各列毎に２点選択し、これらの２点の浮き上がり形状値を基に前記直線上の各列毎に線形補間処理を行う線形補間手段と、を備えることを特徴とする請求項１ないし３のいずれか一記載の画像補正装置。
【請求項５】
前記浮き上がり形状検出手段は、前記ブック原稿の浮き上がった前記歪み領域と前記歪み領域でない領域の境目を推定して、境目での浮き上がり形状値を０とすることを特徴とする請求項４記載の画像補正装置。
【請求項６】
前記「ハの字」歪み補正手段は、前記画像回転手段による画像回転後の前記スキャン画像の各画素値について隣接する４ブロックの各画素値を基に線形補間処理を行う画素線形補間手段を備えることを特徴とする請求項１ないし５のいずれか一記載の画像補正装置。
【請求項７】
前記主走査方向歪み補正手段は、前記画像読取手段の光軸を基準として検出された各画素の伸長率に基づいて主走査方向に画像を伸長することを特徴とする請求項３記載の画像補正装置。
【請求項８】
画像に対して輝度補正処理を施す輝度補正手段を備えることを特徴とする請求項１ないし７のいずれか一記載の画像補正装置。
【請求項９】
画像に対してボケ補正処理を施すボケ補正手段を備えることを特徴とする請求項１ないし８のいずれか一記載の画像補正装置。
【請求項１０】
コンタクトガラスの上もしくは下に接触したブック原稿を画像読取手段により読み取ったスキャン画像を補正する画像補正装置において、前記画像読取手段により読み取られたスキャン画像を二値化処理する二値化手段と、この二値化手段により二値化処理された二値化画像から文字を切り出して各文字の外接矩形を抽出する文字外接矩形抽出手段と、この文字外接矩形抽出手段により抽出された文字外接矩形に基づいて文字行を抽出する文字行抽出手段と、この文字行抽出手段により抽出された前記文字行の形状から前記原稿画像の前記コンタクトガラスからの浮き上がり量を推定する浮き上がり量推定手段と、この浮き上がり量推定手段により推定された浮き上がり量に基づき、前記スキャン画像もしくは前記二値化画像に対して補正処理を施す画像補正手段と、を備えることを特徴とする画像補正装置。
【請求項１１】
前記二値化画像の黒画素数を前記画像読取手段による画像読み取りの副走査方向に関してカウントし、このカウントに基づいて主走査方向に関してのヒストグラムを構成し、そのヒストグラムのパターンに基づいて前記原稿画像が横書き文書か縦書き文書かを判別する文書判別手段を備えることを特徴とする請求項１０記載の画像補正装置。
【請求項１２】
前記二値化画像の黒画素数が多い部分と少ない部分とが交互に現れるようなパターンのヒストグラムが得られた場合は前記原稿画像を横書き文書と判別し、それ以外の場合は前記原稿画像を縦書き文書と判別することを特徴とする請求項１１記載の画像補正装置。
【請求項１３】
前記文書判別手段により前記原稿画像を横書き文書と判別した場合、前記浮き上がり量推定手段では、前記文字行抽出手段により抽出された前記文字行の中からその中での最長の前記文字行に対して所定の比率以上の長さを有する前記文字行を選択し、さらに選択した前記文字行の中で湾曲量の程度が最も大きい前記文字行を基準文字行とし、この基準文字行に基づいて浮き上がり量を推定することを特徴とする請求項１１または１２記載の画像補正装置。
【請求項１４】
前記湾曲量は前記文字行に含まれる前記各文字外接矩形の中心座標の画像読み取りの主走査方向における位置座標によって測定し、中心座標の最大値と最小値との差が大きいほど湾曲量が大きいとみなすことを特徴とする請求項１３記載の画像補正装置。
【請求項１５】
前記文書判別手段により前記原稿画像を縦書き文書と判別した場合、前記浮き上がり量推定手段では、前記文字行抽出手段により抽出された複数の前記各文字行の先頭の前記文字外接矩形のみを選択するか、あるいは、前記各文字行の末尾の前記文字外接矩形のみを選択して基準文字行を構成し、この基準文字行に基づいて浮き上がり量を推定することを特徴とする請求項１１または１２記載の画像補正装置。
【請求項１６】
前記基準文字行に含まれる前記各文字外接矩形の中心座標に対してHough変換を施し、前記基準文字行の直線部分を推定することを特徴とする請求項１３ないし１５の何れか一記載の画像補正装置。
【請求項１７】
前記基準文字行全体の形状を最小二乗法により多項式近似することを特徴とする請求項１６記載の画像補正装置。
【請求項１８】
前記基準文字行の直線部分を曲線部分側に延長した延長部分と曲線部分との距離を測定し、かつ、前記画像読取手段の結像中心線と前記曲線部分との距離を測定し、（延長部分と曲線部分との距離）／（結像中心線と曲線部分との距離）
により求められる値に対して前記画像読取手段のレンズの中心から前記コンタクトガラスまでの距離を乗じた値を、前記原稿画像の前記コンタクトガラスからの浮き上がり量とみなすことを特徴とする請求項１７記載の画像補正装置。
【請求項１９】
前記画像読取手段による画像読み取りの副走査方向における複数位置で、前記原稿画像の前記コンタクトガラスからの浮き上がり量を推定することを特徴とする請求項１８記載の画像補正装置。
【請求項２０】
前記浮き上がり量推定手段は、前記原稿画像の左右ページでそれぞれ独立して行うことを特徴とする請求項１１ないし１９の何れか一記載の画像補正装置。
【請求項２１】
コンタクトガラスの上もしくは下に接触したブック原稿を画像読取手段により読み取ったスキャン画像を補正する画像補正装置において、前記画像読取手段により読み取られたスキャン画像を二値化処理する二値化手段と、この二値化手段により二値化処理された二値化画像から罫線を抽出する罫線抽出手段と、この罫線抽出手段により抽出された前記罫線の形状から前記原稿画像の前記コンタクトガラスからの浮き上がり量を推定する浮き上がり量推定手段と、この浮き上がり量推定手段により推定された浮き上がり量に基づき、前記スキャン画像もしくは前記二値化画像に対して補正処理を施す画像補正手段と、を備えることを特徴とする画像補正装置。
【請求項２２】
前記罫線抽出手段は、前記二値化画像の黒画素数を前記画像読取手段による画像読み取りの副走査方向に関してカウントし、このカウントに基づいて主走査方向に関してのヒストグラムを構成し、そのヒストグラムのパターンに基づいて前記罫線を抽出することを特徴とする請求項２１記載の画像補正装置。
【請求項２３】
ヒストグラムに細高いピークが現れた部分を前記罫線として判定することを特徴とする請求項２２記載の画像補正装置。
【請求項２４】
前記浮き上がり量推定手段では、前記罫線抽出手段により抽出された前記罫線の中からその中での最長の前記罫線に対して所定の比率以上の長さを有する前記罫線を選択し、さらに選択した前記罫線の中で画像の上端もしくは下端に最も近い前記罫線を基準罫線とし、この基準罫線に基づいて浮き上がり量を推定することを特徴とする請求項２２または２３記載の画像補正装置。
【請求項２５】
前記基準罫線に含まれる各画素の座標に対してHough変換を施し、前記基準罫線の直線部分を推定することを特徴とする請求項２４記載の画像補正装置。
【請求項２６】
前記基準罫線の形状を最小二乗法により多項式近似することを特徴とする請求項２５記載の画像補正装置。
【請求項２７】
前記基準罫線の直線部分を曲線部分側に延長した延長部分と曲線部分との距離を測定し、かつ、前記画像読取手段の結像中心線と前記曲線部分との距離を測定し、（延長部分と曲線部分との距離）／（結像中心線と曲線部分との距離）
により求められる値に対して前記画像読取手段のレンズの中心から前記コンタクトガラスまでの距離を乗じた値を、前記原稿画像の前記コンタクトガラスからの浮き上がり量とみなすことを特徴とする請求項２６記載の画像補正装置。
【請求項２８】
前記画像読取手段による画像読み取りの副走査方向における複数位置で、前記原稿画像の前記コンタクトガラスからの浮き上がり量を推定することを特徴とする請求項２７記載の画像補正装置。
【請求項２９】
前記浮き上がり量推定手段は、前記原稿画像の左右ページでそれぞれ独立して行うことを特徴とする請求項２２ないし２８の何れか一記載の画像補正装置。
【請求項３０】
コンタクトガラスの上もしくは下に接触したブック原稿を画像読取手段により読み取ったスキャン画像の画像補正をコンピュータに実行させるプログラムであって、前記コンピュータに、前記ブック原稿の前記スキャン画像に含まれる線形状部分を用い、前記スキャン画像の「ハの字」歪み角度を検出する「ハの字」歪み角度検出機能と、この「ハの字」歪み角度検出機能により検出された前記「ハの字」歪み角度に基づいて前記スキャン画像の「ハの字」歪みを補正した後に前記スキャン画像の副走査方向の形状歪みを補正する「ハの字」歪み補正機能と、を実行させることを特徴とするプログラム。
【請求項３１】
コンタクトガラスの上もしくは下に接触したブック原稿を画像読取手段により読み取ったスキャン画像の画像補正をコンピュータに実行させるプログラムであって、前記コンピュータに、前記画像読取手段により読み取られたスキャン画像を二値化処理する二値化機能と、この二値化機能により二値化処理された二値化画像から文字を切り出して各文字の外接矩形を抽出する文字外接矩形抽出機能と、この文字外接矩形抽出機能により抽出された文字外接矩形に基づいて文字行を抽出する文字行抽出機能と、この文字行抽出機能により抽出された前記文字行の形状から前記原稿画像の前記コンタクトガラスからの浮き上がり量を推定する浮き上がり量推定機能と、この浮き上がり量推定機能により推定された浮き上がり量に基づき、前記スキャン画像もしくは前記二値化画像に対して補正処理を施す画像補正機能と、を実行させることを特徴とするプログラム。
【請求項３２】
コンタクトガラスの上もしくは下に接触したブック原稿を画像読取手段により読み取ったスキャン画像の画像補正をコンピュータに実行させるプログラムであって、前記コンピュータに、前記画像読取手段により読み取られたスキャン画像を二値化処理する二値化機能と、この二値化機能により二値化処理された二値化画像から罫線を抽出する罫線抽出機能と、この罫線抽出機能により抽出された前記罫線の形状から前記原稿画像の前記コンタクトガラスからの浮き上がり量を推定する浮き上がり量推定機能と、この浮き上がり量推定機能により推定された浮き上がり量に基づき、前記スキャン画像もしくは前記二値化画像に対して補正処理を施す画像補正機能と、を実行させることを特徴とするプログラム。
【請求項３３】
請求項３０ないし３２のいずれか一記載のプログラムを記憶することを特徴とするコンピュータに読み取り可能な記憶媒体。
【請求項３４】
コンタクトガラスの上もしくは下に接触したブック原稿を画像読取手段により読み取ったスキャン画像の画像補正方法であって、前記ブック原稿の前記スキャン画像に含まれる線形状部分を用い、前記スキャン画像の「ハの字」歪み角度を検出する「ハの字」歪み角度検出工程と、この「ハの字」歪み角度検出工程により検出された前記「ハの字」歪み角度に基づいて前記スキャン画像の「ハの字」歪みを補正した後に前記スキャン画像の副走査方向の形状歪みを補正する「ハの字」歪み補正工程と、を含むことを特徴とする画像補正方法。
【請求項３５】
コンタクトガラスの上もしくは下に接触したブック原稿を画像読取手段により読み取ったスキャン画像の画像補正方法であって、前記画像読取手段により読み取られたスキャン画像を二値化処理する二値化工程と、この二値化工程により二値化処理された二値化画像から文字を切り出して各文字の外接矩形を抽出する文字外接矩形抽出工程と、この文字外接矩形抽出工程により抽出された文字外接矩形に基づいて文字行を抽出する文字行抽出工程と、この文字行抽出工程により抽出された前記文字行の形状から前記原稿画像の前記コンタクトガラスからの浮き上がり量を推定する浮き上がり量推定工程と、この浮き上がり量推定工程により推定された浮き上がり量に基づき、前記スキャン画像もしくは前記二値化画像に対して補正処理を施す画像補正工程と、を含むことを特徴とする画像補正方法。
【請求項３６】
コンタクトガラスの上もしくは下に接触したブック原稿を画像読取手段により読み取ったスキャン画像の画像補正方法であって、前記画像読取手段により読み取られたスキャン画像を二値化処理する二値化工程と、この二値化工程により二値化処理された二値化画像から罫線を抽出する罫線抽出工程と、この罫線抽出工程により抽出された前記罫線の形状から前記原稿画像の前記コンタクトガラスからの浮き上がり量を推定する浮き上がり量推定工程と、この浮き上がり量推定工程により推定された浮き上がり量に基づき、前記スキャン画像もしくは前記二値化画像に対して補正処理を施す画像補正工程と、を含むことを特徴とする画像補正方法。
【請求項３７】
原稿画像を読み取る画像読取手段と、この画像読取手段により読み取られたスキャン画像の補正を行う請求項１ないし２９の何れか一記載の画像補正装置と、を備えることを特徴とする画像読取装置。
【請求項３８】
原稿画像を読み取る画像読取手段と、この画像読取手段により読み取られたスキャン画像の補正を行う請求項１ないし２９の何れか一記載の画像補正装置と、この画像歪み補正装置から出力される画像データに基づいた画像を用紙上に印刷する画像印刷装置と、を備えることを特徴とする画像形成装置。
【手続補正２】
【補正対象書類名】明細書
【補正対象項目名】００７２
【補正方法】削除
【補正の内容】
【手続補正３】
【補正対象書類名】明細書
【補正対象項目名】００７３
【補正方法】削除
【補正の内容】
【手続補正４】
【補正対象書類名】明細書
【補正対象項目名】００７４
【補正方法】削除
【補正の内容】
【手続補正５】
【補正対象書類名】明細書
【補正対象項目名】００７５
【補正方法】削除
【補正の内容】
【手続補正６】
【補正対象書類名】明細書
【補正対象項目名】００７６
【補正方法】変更
【補正の内容】
【００７６】
請求項３１記載の発明のプログラムは、コンタクトガラスの上もしくは下に接触したブック原稿を画像読取手段により読み取ったスキャン画像の画像補正をコンピュータに実行させるプログラムであって、前記コンピュータに、前記画像読取手段により読み取られたスキャン画像を二値化処理する二値化機能と、この二値化機能により二値化処理された二値化画像から文字を切り出して各文字の外接矩形を抽出する文字外接矩形抽出機能と、この文字外接矩形抽出機能により抽出された文字外接矩形に基づいて文字行を抽出する文字行抽出機能と、この文字行抽出機能により抽出された前記文字行の形状から前記原稿画像の前記コンタクトガラスからの浮き上がり量を推定する浮き上がり量推定機能と、この浮き上がり量推定機能により推定された浮き上がり量に基づき、前記スキャン画像もしくは前記二値化画像に対して補正処理を施す画像補正機能と、を実行させる。
【手続補正７】
【補正対象書類名】明細書
【補正対象項目名】００７８
【補正方法】削除
【補正の内容】
【手続補正８】
【補正対象書類名】明細書
【補正対象項目名】００７９
【補正方法】削除
【補正の内容】
【手続補正９】
【補正対象書類名】明細書
【補正対象項目名】００８０
【補正方法】削除
【補正の内容】
【手続補正１０】
【補正対象書類名】明細書
【補正対象項目名】００８１
【補正方法】削除
【補正の内容】
【手続補正１１】
【補正対象書類名】明細書
【補正対象項目名】００８２
【補正方法】削除
【補正の内容】
【手続補正１２】
【補正対象書類名】明細書
【補正対象項目名】００８３
【補正方法】削除
【補正の内容】
【手続補正１３】
【補正対象書類名】明細書
【補正対象項目名】００８４
【補正方法】削除
【補正の内容】
【手続補正１４】
【補正対象書類名】明細書
【補正対象項目名】００８５
【補正方法】削除
【補正の内容】
【手続補正１５】
【補正対象書類名】明細書
【補正対象項目名】００８６
【補正方法】削除
【補正の内容】
【手続補正１６】
【補正対象書類名】明細書
【補正対象項目名】００８７
【補正方法】削除
【補正の内容】
【手続補正１７】
【補正対象書類名】明細書
【補正対象項目名】００８８
【補正方法】削除
【補正の内容】
【手続補正１８】
【補正対象書類名】明細書
【補正対象項目名】００８９
【補正方法】削除
【補正の内容】
【手続補正１９】
【補正対象書類名】明細書
【補正対象項目名】００９０
【補正方法】削除
【補正の内容】
【手続補正２０】
【補正対象書類名】明細書
【補正対象項目名】００９１
【補正方法】削除
【補正の内容】
【手続補正２１】
【補正対象書類名】明細書
【補正対象項目名】００９２
【補正方法】削除
【補正の内容】
【手続補正２２】
【補正対象書類名】明細書
【補正対象項目名】００９３
【補正方法】削除
【補正の内容】
【手続補正２３】
【補正対象書類名】明細書
【補正対象項目名】００９４
【補正方法】削除
【補正の内容】
【手続補正２４】
【補正対象書類名】明細書
【補正対象項目名】００９５
【補正方法】削除
【補正の内容】
【手続補正２５】
【補正対象書類名】明細書
【補正対象項目名】００９６
【補正方法】削除
【補正の内容】
【手続補正２６】
【補正対象書類名】明細書
【補正対象項目名】００９７
【補正方法】削除
【補正の内容】
【手続補正２７】
【補正対象書類名】明細書
【補正対象項目名】００９８
【補正方法】変更
【補正の内容】
【００９８】
請求項３２記載の発明のプログラムは、コンタクトガラスの上もしくは下に接触したブック原稿を画像読取手段により読み取ったスキャン画像の画像補正をコンピュータに実行させるプログラムであって、前記コンピュータに、前記画像読取手段により読み取られたスキャン画像を二値化処理する二値化機能と、この二値化機能により二値化処理された二値化画像から罫線を抽出する罫線抽出機能と、この罫線抽出機能により抽出された前記罫線の形状から前記原稿画像の前記コンタクトガラスからの浮き上がり量を推定する浮き上がり量推定機能と、この浮き上がり量推定機能により推定された浮き上がり量に基づき、前記スキャン画像もしくは前記二値化画像に対して補正処理を施す画像補正機能と、を実行する。
【手続補正２８】
【補正対象書類名】明細書
【補正対象項目名】０１００
【補正方法】削除
【補正の内容】
【手続補正２９】
【補正対象書類名】明細書
【補正対象項目名】０１０１
【補正方法】削除
【補正の内容】
【手続補正３０】
【補正対象書類名】明細書
【補正対象項目名】０１０２
【補正方法】削除
【補正の内容】
【手続補正３１】
【補正対象書類名】明細書
【補正対象項目名】０１０３
【補正方法】削除
【補正の内容】
【手続補正３２】
【補正対象書類名】明細書
【補正対象項目名】０１０４
【補正方法】削除
【補正の内容】
【手続補正３３】
【補正対象書類名】明細書
【補正対象項目名】０１０５
【補正方法】削除
【補正の内容】
【手続補正３４】
【補正対象書類名】明細書
【補正対象項目名】０１０６
【補正方法】削除
【補正の内容】
【手続補正３５】
【補正対象書類名】明細書
【補正対象項目名】０１０７
【補正方法】削除
【補正の内容】
【手続補正３６】
【補正対象書類名】明細書
【補正対象項目名】０１０８
【補正方法】削除
【補正の内容】
【手続補正３７】
【補正対象書類名】明細書
【補正対象項目名】０１０９
【補正方法】削除
【補正の内容】
【手続補正３８】
【補正対象書類名】明細書
【補正対象項目名】０１１０
【補正方法】削除
【補正の内容】
【手続補正３９】
【補正対象書類名】明細書
【補正対象項目名】０１１１
【補正方法】削除
【補正の内容】
【手続補正４０】
【補正対象書類名】明細書
【補正対象項目名】０１１２
【補正方法】削除
【補正の内容】
【手続補正４１】
【補正対象書類名】明細書
【補正対象項目名】０１１３
【補正方法】削除
【補正の内容】
【手続補正４２】
【補正対象書類名】明細書
【補正対象項目名】０１１４
【補正方法】削除
【補正の内容】
【手続補正４３】
【補正対象書類名】明細書
【補正対象項目名】０１１５
【補正方法】削除
【補正の内容】
【手続補正４４】
【補正対象書類名】明細書
【補正対象項目名】０１１６
【補正方法】変更
【補正の内容】
【０１１６】
請求項３３記載の発明のコンピュータに読み取り可能な記憶媒体は、請求項３０ないし３２のいずれか一記載のプログラムを記憶する。
【手続補正４５】
【補正対象書類名】明細書
【補正対象項目名】０１１７
【補正方法】変更
【補正の内容】
【０１１７】
したがって、この記憶媒体に記憶されたプログラムをコンピュータにインストールすることにより、請求項３０ないし３２のいずれか一記載のプログラムと同様の作用を得ることが可能になる。
【手続補正４６】
【補正対象書類名】明細書
【補正対象項目名】０１１８
【補正方法】変更
【補正の内容】
【０１１８】
請求項３４記載の発明の画像補正方法は、コンタクトガラスの上もしくは下に接触したブック原稿を画像読取手段により読み取ったスキャン画像の画像補正方法であって、前記ブック原稿の前記スキャン画像に含まれる線形状部分を用い、前記スキャン画像の「ハの字」歪み角度を検出する「ハの字」歪み角度検出工程と、この「ハの字」歪み角度検出工程により検出された前記「ハの字」歪み角度に基づいて前記スキャン画像の「ハの字」歪みを補正した後に前記スキャン画像の副走査方向の形状歪みを補正する「ハの字」歪み補正工程と、を含む。
【手続補正４７】
【補正対象書類名】明細書
【補正対象項目名】０１２０
【補正方法】削除
【補正の内容】
【手続補正４８】
【補正対象書類名】明細書
【補正対象項目名】０１２１
【補正方法】削除
【補正の内容】
【手続補正４９】
【補正対象書類名】明細書
【補正対象項目名】０１２２
【補正方法】削除
【補正の内容】
【手続補正５０】
【補正対象書類名】明細書
【補正対象項目名】０１２３
【補正方法】削除
【補正の内容】
【手続補正５１】
【補正対象書類名】明細書
【補正対象項目名】０１２４
【補正方法】変更
【補正の内容】
【０１２４】
請求項３５記載の発明の画像補正方法は、コンタクトガラスの上もしくは下に接触したブック原稿を画像読取手段により読み取ったスキャン画像の画像補正方法であって、前記画像読取手段により読み取られたスキャン画像を二値化処理する二値化工程と、この二値化工程により二値化処理された二値化画像から文字を切り出して各文字の外接矩形を抽出する文字外接矩形抽出工程と、この文字外接矩形抽出工程により抽出された文字外接矩形に基づいて文字行を抽出する文字行抽出工程と、この文字行抽出工程により抽出された前記文字行の形状から前記原稿画像の前記コンタクトガラスからの浮き上がり量を推定する浮き上がり量推定工程と、この浮き上がり量推定工程により推定された浮き上がり量に基づき、前記スキャン画像もしくは前記二値化画像に対して補正処理を施す画像補正工程と、を含む。
【手続補正５２】
【補正対象書類名】明細書
【補正対象項目名】０１２６
【補正方法】変更
【補正の内容】
【０１２６】
請求項３６記載の発明の画像補正方法は、コンタクトガラスの上もしくは下に接触したブック原稿を画像読取手段により読み取ったスキャン画像の画像補正方法であって、前記画像読取手段により読み取られたスキャン画像を二値化処理する二値化工程と、この二値化工程により二値化処理された二値化画像から罫線を抽出する罫線抽出工程と、この罫線抽出工程により抽出された前記罫線の形状から前記原稿画像の前記コンタクトガラスからの浮き上がり量を推定する浮き上がり量推定工程と、この浮き上がり量推定工程により推定された浮き上がり量に基づき、前記スキャン画像もしくは前記二値化画像に対して補正処理を施す画像補正工程と、を含む。
【手続補正５３】
【補正対象書類名】明細書
【補正対象項目名】０１２８
【補正方法】変更
【補正の内容】
【０１２８】
請求項３７記載の発明の画像読取装置は、原稿画像を読み取る画像読取手段と、この画像読取手段により読み取られたスキャン画像の補正を行う請求項１ないし２９の何れか一記載の画像補正装置と、を備える。
【手続補正５４】
【補正対象書類名】明細書
【補正対象項目名】０１３０
【補正方法】変更
【補正の内容】
【０１３０】
請求項３８記載の発明の画像形成装置は、原稿画像を読み取る画像読取手段と、この画像読取手段により読み取られたスキャン画像の補正を行う請求項１ないし２９の何れか一記載の画像補正装置と、この画像歪み補正装置から出力される画像データに基づいた画像を用紙上に印刷する画像印刷装置と、を備える。
【手続補正５５】
【補正対象書類名】明細書
【補正対象項目名】０２３１
【補正方法】削除
【補正の内容】
【手続補正５６】
【補正対象書類名】明細書
【補正対象項目名】０２３２
【補正方法】削除
【補正の内容】
【手続補正５７】
【補正対象書類名】明細書
【補正対象項目名】０２３３
【補正方法】変更
【補正の内容】
【０２３３】
請求項３１記載の発明のプログラムによれば、コンタクトガラスの上もしくは下に接触したブック原稿を画像読取手段により読み取ったスキャン画像の画像補正をコンピュータに実行させるプログラムであって、前記コンピュータに、前記画像読取手段により読み取られたスキャン画像を二値化処理する二値化機能と、この二値化機能により二値化処理された二値化画像から文字を切り出して各文字の外接矩形を抽出する文字外接矩形抽出機能と、この文字外接矩形抽出機能により抽出された文字外接矩形に基づいて文字行を抽出する文字行抽出機能と、この文字行抽出機能により抽出された前記文字行の形状から前記原稿画像の前記コンタクトガラスからの浮き上がり量を推定する浮き上がり量推定機能と、この浮き上がり量推定機能により推定された浮き上がり量に基づき、前記スキャン画像もしくは前記二値化画像に対して補正処理を施す画像補正機能と、を実行させ、例えば原稿としてブック原稿を読み取る場合、読み取りスキャン画像を二値化して文字行を抽出し、これらの文字行の形状の変化に基づいてブック原稿の３次元形状（コンタクトガラスからの浮き上がり量）を推定し、このコンタクトガラスからの浮き上がり量に基づいてスキャン画像の歪みを補正することにより、ブック原稿のページ外形が途中で切れているような読み取りスキャン画像であっても、その歪みが少ない計算量で有効に補正することができる。
【手続補正５８】
【補正対象書類名】明細書
【補正対象項目名】０２３４
【補正方法】削除
【補正の内容】
【手続補正５９】
【補正対象書類名】明細書
【補正対象項目名】０２３５
【補正方法】削除
【補正の内容】
【手続補正６０】
【補正対象書類名】明細書
【補正対象項目名】０２３６
【補正方法】削除
【補正の内容】
【手続補正６１】
【補正対象書類名】明細書
【補正対象項目名】０２３７
【補正方法】削除
【補正の内容】
【手続補正６２】
【補正対象書類名】明細書
【補正対象項目名】０２３８
【補正方法】削除
【補正の内容】
【手続補正６３】
【補正対象書類名】明細書
【補正対象項目名】０２３９
【補正方法】削除
【補正の内容】
【手続補正６４】
【補正対象書類名】明細書
【補正対象項目名】０２４０
【補正方法】削除
【補正の内容】
【手続補正６５】
【補正対象書類名】明細書
【補正対象項目名】０２４１
【補正方法】削除
【補正の内容】
【手続補正６６】
【補正対象書類名】明細書
【補正対象項目名】０２４２
【補正方法】削除
【補正の内容】
【手続補正６７】
【補正対象書類名】明細書
【補正対象項目名】０２４３
【補正方法】削除
【補正の内容】
【手続補正６８】
【補正対象書類名】明細書
【補正対象項目名】０２４４
【補正方法】変更
【補正の内容】
【０２４４】
請求項３２記載の発明のプログラムによれば、コンタクトガラスの上もしくは下に接触したブック原稿を画像読取手段により読み取ったスキャン画像の画像補正をコンピュータに実行させるプログラムであって、前記コンピュータに、前記画像読取手段により読み取られたスキャン画像を二値化処理する二値化機能と、この二値化機能により二値化処理された二値化画像から罫線を抽出する罫線抽出機能と、この罫線抽出機能により抽出された前記罫線の形状から前記原稿画像の前記コンタクトガラスからの浮き上がり量を推定する浮き上がり量推定機能と、この浮き上がり量推定機能により推定された浮き上がり量に基づき、前記スキャン画像もしくは前記二値化画像に対して補正処理を施す画像補正機能と、を実行させ、例えば原稿としてブック原稿を読み取る場合、読み取りスキャン画像を二値化して罫線を抽出し、これらの罫線の形状の変化に基づいてブック原稿の３次元形状（コンタクトガラスからの浮き上がり量）を推定し、このコンタクトガラスからの浮き上がり量に基づいてスキャン画像の歪みが補正することにより、ブック原稿のページ外形が途中で切れているような読み取りスキャン画像であっても、その歪みが少ない計算量で有効に補正することができる。
【手続補正６９】
【補正対象書類名】明細書
【補正対象項目名】０２４５
【補正方法】削除
【補正の内容】
【手続補正７０】
【補正対象書類名】明細書
【補正対象項目名】０２４６
【補正方法】削除
【補正の内容】
【手続補正７１】
【補正対象書類名】明細書
【補正対象項目名】０２４７
【補正方法】削除
【補正の内容】
【手続補正７２】
【補正対象書類名】明細書
【補正対象項目名】０２４８
【補正方法】削除
【補正の内容】
【手続補正７３】
【補正対象書類名】明細書
【補正対象項目名】０２４９
【補正方法】削除
【補正の内容】
【手続補正７４】
【補正対象書類名】明細書
【補正対象項目名】０２５０
【補正方法】削除
【補正の内容】
【手続補正７５】
【補正対象書類名】明細書
【補正対象項目名】０２５１
【補正方法】削除
【補正の内容】
【手続補正７６】
【補正対象書類名】明細書
【補正対象項目名】０２５２
【補正方法】削除
【補正の内容】
【手続補正７７】
【補正対象書類名】明細書
【補正対象項目名】０２５３
【補正方法】変更
【補正の内容】
【０２５３】
請求項３３記載の発明のコンピュータに読み取り可能な記憶媒体によれば、請求項３０ないし３２のいずれか一記載のプログラムを記憶することにより、この記憶媒体に記憶されたプログラムをコンピュータにインストールすることで、請求項３０ないし３２のいずれか一記載のプログラムと同様の作用効果を得ることができる。
【手続補正７８】
【補正対象書類名】明細書
【補正対象項目名】０２５４
【補正方法】変更
【補正の内容】
【０２５４】
請求項３４記載の発明の画像補正方法によれば、コンタクトガラスの上もしくは下に接触したブック原稿を画像読取手段により読み取ったスキャン画像の画像補正方法であって、前記ブック原稿の前記スキャン画像に含まれる線形状部分を用い、前記スキャン画像の「ハの字」歪み角度を検出する「ハの字」歪み角度検出工程と、この「ハの字」歪み角度検出工程により検出された前記「ハの字」歪み角度に基づいて前記スキャン画像の「ハの字」歪みを補正した後に前記スキャン画像の副走査方向の形状歪みを補正する「ハの字」歪み補正工程と、を含み、ブック原稿のスキャン画像に含まれる線形状部分を用いてスキャン画像の「ハの字」歪み角度を検出し、この「ハの字」歪み角度に基づいてスキャン画像の「ハの字」歪みを補正した後にスキャン画像の副走査方向の形状歪みを補正することにより、カタカナの「ハの字」のような歪み形状のスキャン画像に対して３次元形状歪み補正を実行しても、歪み補正に伴う画質の劣化の発生を防止することができる。
【手続補正７９】
【補正対象書類名】明細書
【補正対象項目名】０２５５
【補正方法】削除
【補正の内容】
【手続補正８０】
【補正対象書類名】明細書
【補正対象項目名】０２５６
【補正方法】削除
【補正の内容】
【手続補正８１】
【補正対象書類名】明細書
【補正対象項目名】０２５７
【補正方法】変更
【補正の内容】
【０２５７】
請求項３５記載の発明の画像補正方法によれば、コンタクトガラスの上もしくは下に接触したブック原稿を画像読取手段により読み取ったスキャン画像の画像補正方法であって、前記画像読取手段により読み取られたスキャン画像を二値化処理する二値化工程と、この二値化工程により二値化処理された二値化画像から文字を切り出して各文字の外接矩形を抽出する文字外接矩形抽出工程と、この文字外接矩形抽出工程により抽出された文字外接矩形に基づいて文字行を抽出する文字行抽出工程と、この文字行抽出工程により抽出された前記文字行の形状から前記原稿画像の前記コンタクトガラスからの浮き上がり量を推定する浮き上がり量推定工程と、この浮き上がり量推定工程により推定された浮き上がり量に基づき、前記スキャン画像もしくは前記二値化画像に対して補正処理を施す画像補正工程と、を含み、例えば原稿としてブック原稿を読み取る場合、読み取りスキャン画像を二値化して文字行を抽出し、これらの文字行の形状の変化に基づいてブック原稿の３次元形状（コンタクトガラスからの浮き上がり量）を推定し、このコンタクトガラスからの浮き上がり量に基づいてスキャン画像の歪みを補正することにより、ブック原稿のページ外形が途中で切れているような読み取りスキャン画像であっても、その歪みを少ない計算量で有効に補正することができる。
【手続補正８２】
【補正対象書類名】明細書
【補正対象項目名】０２５８
【補正方法】変更
【補正の内容】
【０２５８】
請求項３６記載の発明の画像補正方法によれば、コンタクトガラスの上もしくは下に接触したブック原稿を画像読取手段により読み取ったスキャン画像の画像補正方法であって、前記画像読取手段により読み取られたスキャン画像を二値化処理する二値化工程と、この二値化工程により二値化処理された二値化画像から罫線を抽出する罫線抽出工程と、この罫線抽出工程により抽出された前記罫線の形状から前記原稿画像の前記コンタクトガラスからの浮き上がり量を推定する浮き上がり量推定工程と、この浮き上がり量推定工程により推定された浮き上がり量に基づき、前記スキャン画像もしくは前記二値化画像に対して補正処理を施す画像補正工程と、を含み、例えば原稿としてブック原稿を読み取る場合、読み取りスキャン画像を二値化して罫線を抽出し、これらの罫線の形状の変化に基づいてブック原稿の３次元形状（コンタクトガラスからの浮き上がり量）を推定し、このコンタクトガラスからの浮き上がり量に基づいてスキャン画像の歪みを補正することにより、ブック原稿のページ外形が途中で切れているような読み取りスキャン画像であっても、その歪みを少ない計算量で有効に補正することができる。
【手続補正８３】
【補正対象書類名】明細書
【補正対象項目名】０２５９
【補正方法】変更
【補正の内容】
【０２５９】
請求項３７記載の発明の画像読取装置によれば、原稿画像を読み取る画像読取手段と、この画像読取手段により読み取られたスキャン画像の補正を行う請求項１ないし２９の何れか一記載の画像補正装置と、を備えることにより、請求項１ないし２９の何れか一記載の発明と同様の作用効果を奏する画像読取装置を得ることができる。
【手続補正８４】
【補正対象書類名】明細書
【補正対象項目名】０２６０
【補正方法】変更
【補正の内容】
【０２６０】
請求項３８記載の発明の画像形成装置によれば、原稿画像を読み取る画像読取手段と、この画像読取手段により読み取られたスキャン画像の補正を行う請求項１ないし２９の何れか一記載の画像補正装置と、この画像歪み補正装置から出力される画像データに基づいた画像を用紙上に印刷する画像印刷装置と、を備えることにより、請求項１ないし２９の何れか一記載の発明と同様の作用効果を奏する画像形成装置を得ることができる。